(57)【要約】      （修正有）【課題】結婚式や披露宴等で結婚指輪交換時に指輪を保持するリングピローの支持体として装飾性を高めて扱い易い上、記念写真を入れて飾る写真立てとしての兼用ができる支持体を提供する。【解決手段】指輪８が保持されるリングピロー５を載置自在な平板状の載置台２の裏面２１に、支持部材３が取り付けられている。載置台２の水平状態で、載置台２の上にリングピロー５が載置されて垂直状態の支持部材３が把持自在である。載置台２の傾斜状態で、載置台３に写真が組み入れられ且つ傾斜状態の支持部材３で載置台２の傾斜状態を保持する。載置台２の表面に、その載置台２に対し着脱自在な透明の被覆クリアー体４が取り付けられ、被覆クリアー体４と載置台２の間に写真が組み込まれて載置台２が写真立てとして設置自在である。【選択図】図１
0003160746.tif 000002
【実用新案登録請求の範囲】
【請求項１】
指輪を保持して仮置きされるリングピローを支持する支持体において、
ａ）指輪が保持されるリングピローを載置自在な平板状の載置台の裏面に、支持部材が取り付けられていること、
ｂ）前記載置台の水平状態で、その載置台の上にリングピローが載置されて垂直状態の支持部材が把持自在であること、
ｃ）前記載置台の傾斜状態で、その載置台に写真が組み入れられ且つ傾斜状態の支持部材で前記載置台の傾斜状態を保持して設置自在であること、
を特徴とする写真立て兼用リングピロー支持体。
【請求項２】
大きさや形状の異なる各種の支持部材が、載置台に対し着脱自在に構成されていることを特徴とする、請求項１に記載した写真立て兼用リングピロー支持体。
【請求項３】
リングピローが載置される際の載置台に取り付けられる支持部材は、手指で把持可能な大きさ・長さの丸棒であって当該載置台に対し直角に取り付けられることを特徴とする、請求項１又は２に記載した写真立て兼用リングピロー支持体。
【請求項４】
写真立てとして設置される際の載置台に取り付けられる支持部材は、所定幅寸を有し傾斜する板部材であって当該載置台に対し傾斜して取り付けられることを特徴とする、請求項１又は２に記載した写真立て兼用リングピロー支持体。
【請求項５】
載置台の表面には、その載置台に対し着脱自在な透明の被覆クリアー体が取り付けられており、前記被覆クリアー体と載置台の間に写真が組み込まれて載置台が写真立てとして設置自在に構成されていることを特徴とする、請求項１〜４のいずれか１項に記載した写真立て兼用リングピロー支持体。
【請求項６】
載置台と被覆クリアー体にマグネットが設置され、当該被覆クリアー体が載置台に対し着脱自在に構成されていることを特徴とする、請求項５に記載した写真立て兼用リングピロー支持体。
【請求項７】
被覆クリアー体の外周に通孔が設けられ、装飾部材が前記被覆クリアー体の通孔に挿通される結束部材によって被覆クリアー体に対し係止自在に構成されていることを特徴とする、請求項５又は６に記載した写真立て兼用リングピロー支持体。
【請求項８】
装飾部材が内側にスペースを有するリング状に形成され、被覆クリアー体の表面における前記装飾部材の内側スペースにリングピローが載置され、又は被覆クリアー体の裏面における写真が前記装飾部材の内側スペースで臨かれることを特徴とする、請求項５〜７のいずれか１項に記載した写真立て兼用リングピロー支持体。
【請求項９】
装飾部材が天然石やガラスダイヤ、ビーズ、リボン、チェーンの所望の組合せ若しくは単体で形成されていることを特徴とする、請求項７又は８に記載した写真立て兼用リングピロー支持体。
【請求項１０】
被覆クリアー体及び／又は載置台が円盤状に形成されていることを特徴とする、請求項１〜８のいずれか１項に記載した写真立て兼用リングピロー支持体。
【請求項１１】
載置台、被覆クリアー体、支持部材、装飾部材又はリングピローのいずれか１つ又は複数の部材に、ＬＥＤ等の発光体が付設されていることを特徴とする、請求項１〜１０のいずれか１項に記載した写真立て兼用リングピロー支持体。
【請求項１２】
被覆クリアー体の通孔にリボンが挿通され、このリボンが柱等に引掛け自在に構成されていることを特徴とする、請求項５又は６又は７又は８又は１０又は１１に記載した写真立て兼用リングピロー支持体。
【考案の詳細な説明】
【技術分野】
【０００１】
本考案は、写真立て兼用リングピロー支持体に係り、さらに言えば、教会や結婚披露宴、パーティー等において、結婚指輪等の指輪交換時に指輪を保持するリングピローの支持用に使用されるだけでなく、そのような使用後には、記念写真を入れて飾る写真立てとしての兼用ができるリングピロー支持体の技術分野に関する。
【背景技術】
【０００２】
近年、教会で挙げる結婚式等での厳粛な雰囲気の下で、新郎・新婦が指輪の交換を行う際に、新郎と新婦の指輪を保持（仮置き）して使用される小さなクッション状等のリングピローが知られている。
【０００３】
また、ポーチのような小物入れとしても使用できるリングピローも開発されている。例えば、下記文献１に係る実用新案登録第３０４１８９８号公報には、開閉可能な開口部を有する布製の袋状本体の外面および／または周縁部に、リングピローとしての飾り用布片を縫い付け固定するとともに、袋状本体の少なくとも一方の面に、指輪を縛り付けるための少なくとも１対の紐状体を縫い付け固定したことを特徴とする多機能リングピロー（請求項１）が開示されている。
【先行技術文献】
【特許文献】
【０００４】
【特許文献１】実用新案登録第３０４１８９８号公報
【考案の概要】
【考案が解決しようとする課題】
【０００５】
前記文献１の多機能リングピローは、従来のリングピローとしての役目のほかに、リングピローとして使用後はポーチとして使用でき、結婚式場側が式後に指輪ケース等を入れてこれを当事者に進呈するといった便利さがある。しかし、そのようなポーチ類としての利用しかできず、写真立てとして使用することは不可能である。
【０００６】
したがって、本考案が解決しようとする課題は、教会や結婚披露宴、パーティー等において結婚指輪等の指輪交換時に当該指輪を保持するリングピローの支持体としては、装飾性を高めて取り扱い易く使える上、爾後には記念写真を入れて飾る写真立てとしての兼用ができる写真立て兼用リングピロー支持体を提供することにある。
【課題を解決するための手段】
【０００７】
上記課題を解決するための手段として、請求項１記載の考案の写真立て兼用リングピロー支持体は、指輪８を保持して仮置きされるリングピロー５を支持する支持体Ａにおいて、
ａ）指輪８が保持されるリングピロー５を載置自在な平板状の載置台２の裏面２１に、支持部材３が取り付けられていること、
ｂ）前記載置台２の水平状態で、その載置台２の上にリングピロー５が載置されて垂直状態の支持部材３が把持自在であること、
ｃ）前記載置台２の傾斜状態で、その載置台３に写真７が組み入れられ且つ傾斜状態の支持部材３で前記載置台２の傾斜状態を保持して設置自在であることを特徴とする。
【０００８】
請求項２記載の考案の写真立て兼用リングピロー支持体は、大きさや形状の異なる各種の前記支持部材３が、載置台２に対し着脱自在に構成されていることを特徴とする。
【０００９】
請求項３記載の考案の写真立て兼用リングピロー支持体は、前記リングピロー５が載置される際の載置台２に取り付けられる支持部材３が、手指６で把持可能な大きさ・長さの丸棒３０であって当該載置台２に対し直角に取り付けられることを特徴とする。
【００１０】
請求項４記載の考案の写真立て兼用リングピロー支持体は、前記写真立てＢとして設置される際の載置台２に取り付けられる支持部材３が、所定幅寸を有し傾斜する板部材３３であって当該載置台２に対し傾斜して取り付けられることを特徴とする。
【００１１】
請求項５記載の考案の写真立て兼用リングピロー支持体は、前記載置台２の表面２０に、その載置台２に対し着脱自在な透明の被覆クリアー体４が取り付けられており、前記被覆クリアー体４と載置台２の間に写真７が組み込まれて載置台２が写真立てＢとして設置自在に構成されていることを特徴とする。
【００１２】
請求項６記載の考案の写真立て兼用リングピロー支持体は、前記載置台２と被覆クリアー体４にマグネットＭ・・・が設置され、当該被覆クリアー体４が載置台２に対し着脱自在に構成されていることを特徴とする。
【００１３】
請求項７記載の考案の写真立て兼用リングピロー支持体は、前記被覆クリアー体４の外周４２に通孔４３が設けられ、装飾部材１が前記被覆クリアー体４の通孔４３に挿通される結束部材Ｋによって被覆クリアー体４に対し係止自在に構成されていることを特徴とする。
【００１４】
請求項８記載の考案の写真立て兼用リングピロー支持体は、前記装飾部材１が内側にスペース１０を有するリング状に形成され、被覆クリアー体４の表面４０における前記装飾部材１の内側スペース１０にリングピロー５が載置され、又は被覆クリアー体４の裏面４１における写真７が前記装飾部材１の内側スペース１０で臨かれることを特徴とする。
【００１５】
請求項９記載の考案の写真立て兼用リングピロー支持体は、前記装飾部材１が天然石やガラスダイヤ、ビーズ、リボン、チェーンの所望の組合せ若しくは単体で形成されていることを特徴とする。
【００１６】
請求項１０記載の考案の写真立て兼用リングピロー支持体は、前記被覆クリアー体４及び／又は載置台２が円盤状に形成されていることを特徴とする。
【００１７】
請求項１１記載の考案の写真立て兼用リングピロー支持体は、前記載置台２、被覆クリアー体４、支持部材３、装飾部材１又はリングピロー５のいずれか１つ又は複数の部材に、ＬＥＤ等の発光体が付設されていることを特徴とする。
【００１８】
請求項１２記載の考案の写真立て兼用リングピロー支持体は、前記被覆クリアー体４の通孔４３にリボンＲが挿通され、このリボンＲが柱Ｓ等に引掛け自在に構成されていることを特徴とする。
【考案の効果】
【００１９】
請求項１の本考案の写真立て兼用リングピロー支持体は、指輪が保持されるリングピローを載置自在な平板状の載置台の裏面に、支持部材が取り付けられ、前記載置台の水平状態で、その載置台の上にリングピローが載置されて垂直状態の支持部材が把持自在であり、前記載置台の傾斜状態で、その載置台に写真が組み入れられ且つ傾斜状態の支持部材で前記載置台の傾斜状態を保持して設置自在であるので、厳粛な雰囲気の下での教会や結婚披露宴、パーティー等において、結婚指輪等の指輪交換時に当該指輪を雰囲気を高めつつ保持するリングピローの支持体として使い易く優れている。しかも、爾後には記念写真を入れて飾る写真立てとしての兼用ができて想い出にもなり大変便利である。
【００２０】
請求項２の本考案の写真立て兼用リングピロー支持体は、大きさや形状の異なる各種の支持部材が、載置台に対し着脱自在であるので、シチュエーションや条件、状況に応じて各種場面で一番ふさわしい支持部材の使用ができる自在性がある。
【００２１】
請求項３の本考案の写真立て兼用リングピロー支持体は、リングピローが載置される際の載置台に取り付けられる支持部材は、手指で把持可能な大きさ・長さの丸棒であって当該載置台に対し直角に取り付けられるので、当該支持部材を新郎新婦が一緒に持って使用するのに適している。
【００２２】
請求項４の本考案の写真立て兼用リングピロー支持体は、写真立てとして設置される際の載置台に取り付けられる支持部材は、所定幅寸を有し傾斜する板部材であって当該載置台に対し傾斜して取り付けられるので、写真立て使用時に平坦な場所に置いた際に傾斜状態を保持し、置物として引き立ち、組み込まれた写真を奇麗に際立たせることができる。
【００２３】
請求項５の本考案の写真立て兼用リングピロー支持体は、載置台の表面に、その載置台に対し着脱自在な透明の被覆クリアー体が取り付けられており、前記被覆クリアー体と載置台の間に写真が組み込まれて載置台が写真立てとして設置自在に構成されているので、中に組み込んだ写真が当該透明な被覆クリアー体を通して、外からはっきりと見ることができ、写真立てとしての使用に不便がない。
【００２４】
請求項６の本考案の写真立て兼用リングピロー支持体は、載置台と被覆クリアー体にマグネットが設置され、当該被覆クリアー体が載置台に対し着脱自在に構成されているので、中に入れる写真の組み込みや交換作業をスムーズに行えて使い勝手がよい。
【００２５】
請求項７の本考案の写真立て兼用リングピロー支持体は、被覆クリアー体の外周に通孔が設けられ、装飾部材が前記被覆クリアー体の通孔に挿通される結束部材によって被覆クリアー体に対し係止自在に構成されているので、装飾部材の取り付けや交換作業を楽に行える。
【００２６】
請求項８の本考案の写真立て兼用リングピロー支持体は、装飾部材が内側にスペースを有するリング状に形成され、被覆クリアー体の表面における前記装飾部材の内側スペースにリングピローが載置され、又は被覆クリアー体の裏面における写真が前記装飾部材の内側スペースで臨かれるので、リングピロー支持体としての使用と写真立てとしての使用の両方の使用時において一切支障がない。
【００２７】
請求項９の本考案の写真立て兼用リングピロー支持体は、装飾部材が天然石やガラスダイヤ、ビーズ、リボン、チェーンで形成されているので、当該装飾部材が艶やかに際立つ。
【００２８】
請求項１０の本考案の写真立て兼用リングピロー支持体は、被覆クリアー体や載置台が円盤状に形成されているので、リングピロー支持体と写真立てとしての両使用時において、見た目にも外観が奇麗で周りの雰囲気に調和する。
【００２９】
請求項１１の本考案の写真立て兼用リングピロー支持体は、載置台、被覆クリアー体、支持部材、装飾部材又はリングピローのいずれか１つ又は複数の部材に、ＬＥＤ等の発光体が付設されているので、リングピロー支持体と写真立てとしての両使用時に、荘厳な中にも当該ＬＥＤが輝くことで、印象に残るいい雰囲気をつくることができる。
【００３０】
請求項１２の本考案の写真立て兼用リングピロー支持体のように、被覆クリアー体の通孔を利用して挿通したリボンを柱等に引掛ければ、これを見る者へのアピール度が高められる。
【考案を実施するための最良の形態】
【００３１】
本考案に係る写真立て兼用リングピロー支持体の好適な実施形態を、以下図面にしたがって説明する。本実施形態の写真立て兼用リングピロー支持体は、指輪８を保持して仮置きされるリングピロー５を支持する支持体Ａ（図１〜図１２）として使用されると共に、写真を入れて飾る写真立てＢ（図１３〜図１９）としての兼用ができるものである。
【００３２】
まず、リングピロー支持体Ａとして使用する態様につき、図１〜図１２を参照しつつ説明する。
【００３３】
このリングピロー支持体Ａは、図３及び図４に示したように、指輪８が保持されるリングピロー５を載置自在な平板状の載置台２と、同載置台２の裏面２１に着脱自在に取り付けられる支持部材３とを基本構成とする。
【００３４】
載置台２は、アクリル樹脂により直径が約１５ｃｍの円盤状に形成され、その裏面２１の中央部に四角形状のベース板２３が設置されている。ベース板２３の四隅にはネジ穴２４・・・が４ケ所設けられている。
【００３５】
また、この円盤状の載置台２の外周２５に、等間隔（９０度間隔）でマグネットＭ・・・が合計４ケ所設置されている。マグネットＭの設置要領は、載置台２の内部への埋め込み形態が望ましい。しかし、載置台２の表面２０（又は裏面２１）への貼着等であってもよく、手段は問わない（図１０参照）。この載置台２のマグネットＭは、後述する被覆クリアー体４にも設けられたマグネットＭと磁着させるためである。
【００３６】
支持部材３は、前記載置台２のベース板２３と略同形同大のものとして、縦×横＝９×６．５ｃｍの四角形状のベース板３１を介して、載置台２に対し直角配置に取り付けられている（図４参照）。すなわち、ベース板３１の四隅には、前記載置台２のベース板２３のネジ穴２４・・・に対応する位置に、通孔３２・・・が４ケ所穿設されている。当該ベース板３１の中央部に下記丸棒３０等の支持部材３が取り付けられている。
【００３７】
この支持部材３は、手指６で把持し易い大きさ・長さのアクリル樹脂製で、全長が約１０ｃｍ、直径が２．５ｃｍの丸棒３０で形成されている。しかし、大きさや形状（材質）の異なる各種の前記支持部材３が、載置台２に対し着脱自在となっている。例えば、後述の写真立てＢ用の載置台２に取り付けられる支持部材３は、板部材３３の形態で実施される。
【００３８】
かくして、前記支持部材３（丸棒３０）のベース板３１が、載置台２のベース板２３に当接され、位置を同じくしたベース板３１の通孔３２に通したネジ３９をベース板２３のネジ穴２４にて螺着することにより、支持部材３（丸棒３０）が載置台２に対ししっかりと固定される（図４）。
【００３９】
したがって、図１に示したように、垂直状態の支持部材３（丸棒３０）を手指６で把持することで、載置台２の水平状態を保持しつつ、その載置台２の上にリングピロー５を安定性よく載置することができる（図２）。
【００４０】
次に、図５と図６に示した被覆クリアー体４について説明する。被覆クリアー体４は、リングピロー支持体Ａ及び写真立てＢ（後述）として使用する場合に好適な装飾部材１の取り付けに供される。
【００４１】
この被覆クリアー体４は、透明なアクリル樹脂等で形成され、前記載置台２と略同径の円盤状に形成されている。そして、載置台２の場合と同様に、前記載置台２のマグネットＭ・・・に対応する位置として、被覆クリアー体４の外周４２に、等間隔（９０度間隔）でマグネットＭ・・・が４ケ所設置されている。マグネットＭの設置要領は、やはり被覆クリアー体４自体（内部）への埋め込みが好適である。或いは、裏面４１（又は表面４０）への貼着等であってもよく、被覆クリアー体４が載置台２に対し着脱自在となっている。
【００４２】
また、装飾部材１を被覆クリアー体４に取り付ける手段として、この被覆クリアー体４の外周４２に、等間隔で通孔４３が８ケ所設けられている。但し、通孔４３の数はこの限りでなく、その孔の大きさも大きい形態で実施することも行われる。よって、装飾部材１は、この通孔４３に挿通されるワイヤー等の結束部材Ｋを巻き付けることにより、被覆クリアー体４に拘束して係止することができる（図７、図８参照）。デザインの異なる装飾部材１に交換する場合、前記結束部材Ｋをほどいて巻き付けるだけで簡単に行える。
【００４３】
ここで、装飾部材１としては、天然石やガラスダイヤ、ビーズ、リボン、チェーン類で形成するのが望ましい。当該装飾部材１は、その内側にスペース１０を有するリング状に形成され、被覆クリアー体４の表面４０における前記装飾部材１の内側スペース１０にリングピロー５が収まって載置される（図１、図２参照）。また、下記写真立てＢとして使用される場合は、被覆クリアー体４の裏面４１における写真７をこの装飾部材１の内側スペース１０で表示できる（図１８参照）。
【００４４】
なお、この装飾部材１は、詳細な図示を省略した前記天然石やガラスダイヤ等の小さな部材に小孔を設け、その小孔にワイヤーが挿通されて成る１個の最小ベース部材が複数個束ねられたベース装飾体を、リング状に複数配置する実施形態が好適である。
【００４５】
かくして、図９に示したような装飾部材１が取り付けられた被覆クリアー体４の裏面４１を、図１０のように、丸棒３０が取り付けられた支持部材３に近付ければ、被覆クリアー体４と載置台２は、互いのマグネットＭ、Ｍ・・・同士が引き合って容易に磁着される（図１１）。この状態で、図１２のように丸棒３０を垂直に保持し、装飾部材１の内側スペース１０にリングピロー５を載置できる（図１、図２）。
【００４６】
次に、写真立てＢとして使用する実施形態について説明する（図１３〜図１９）。
【００４７】
上述した載置台２は、写真立てＢにおいてもそのまま使用される。支持体Ａの支持部材３として丸棒３０が使用されたが、ここでは、板部材３３が使用される。
【００４８】
板部材３３は、図１３に示したように、前記ベース板３１と同様に、ベース板３４の四隅には前記載置台２のベース板２３のネジ穴２４・・・に対応する位置に通孔３５・・・が４ケ所穿設されている。そして、所定の幅寸を有する長方形状の板部材３３が、前記ベース板３４に対し約４５〜９０度ぐらい傾斜して取り付けられている。
【００４９】
したがって、この写真立てＢとして使用するに当り、予め、前記リングピロー支持体Ａ（図３）のネジ３９・・・を緩めて取り除き、丸棒３０とベース板３１を載置台２から取り外す（図２参照）。そこで、丸棒３０（ベース板３１）の代りに、図１４のように当該板部材３３が取り付けられたベース板３４を、載置台２のベース板２３に当接し、位置を同じくしたベース板３４の通孔３５に通したネジ３９・・・をベース板２３のネジ穴２４・・・にて螺着することにより、板部材３３の支持部材３が載置台２に固定される（図１５）。
【００５０】
当該写真立てＢは、平坦な机や棚の上に置いた場合、側面から見れば、図１６に示したように、載置台２が傾斜した安定状態を保つ。そこで、この載置台２の表面２０、或いは被覆クリアー体４の裏面４１に、写真７を貼付等して設置する（図１７）。そして、被覆クリアー体４には、上記の要領で装飾部材１が取り付けられ（図７〜図９）、その内側はスペース１０として空いているので、記念となる写真７が装飾部材１に囲まれる形で現れてよい（図１８）。
【００５１】
かくして、被覆クリアー体４と載置台２の間に写真７が組み込まれた載置台２は、傾斜状態を保持しつつ、装飾部材１が付加されて華やかで奇麗な写真立てＢとして設置される（図１９）。
【００５２】
さらに図２０は、異なる実施形態を示している。すなわち、支持部材３（板部材３３）を取り外して前記の写真立てＢを使用するか、或いは写真７の代わりにメッセージカード７´を貼付した態様で、被覆クリアー体４の通孔４３に大きなリボンＲを通しこのリボンＲを柱Ｓに引掛けて、これを見る者へメッセージを発する手段として利用することもできる。
【００５３】
なお、図示を省略するが、上述した載置台２や被覆クリアー体４、支持部材３、装飾部材１又はリングピロー５のいずれか１つ、或いはそれらの中から組み合せた所望の部材に、ＬＥＤ等の発光体を付設する実施形態も採用可能である。リングピロー支持体Ａとしての使用時や写真立てＢとしての使用時に、当該ＬＥＤが輝いて印象深く温かい雰囲気を醸し出すことができる。
【図面の簡単な説明】
【００５４】
【図１】リングピロー支持体の使用状態を示した正面図である。
【００５５】
【図２】リングピロー支持体を示した斜視図である。
【００５６】
【図３】リングピロー支持体の載置台と丸棒の取り付け要領を示した説明図である。
【００５７】
【図４】リングピロー支持体の載置台と丸棒の取り付け状態を示した裏面斜視図である。
【００５８】
【図５】被覆クリアー体を示した全体図である。
【００５９】
【図６】被覆クリアー体を示した部分斜視図である。
【００６０】
【図７】被覆クリアー体への装飾部材の取り付け状態を示した斜視図である。
【００６１】
【図８】被覆クリアー体への装飾部材の取り付け要領を示した全体斜視図である。
【００６２】
【図９】被覆クリアー体への装飾部材の取り付け状態を示した裏面図である。
【００６３】
【図１０】リングピロー支持体の載置台と被覆クリアー体の取り付け要領を示した説明図である。
【００６４】
【図１１】リングピロー支持体の使用状態を示した裏面斜視図である。
【００６５】
【図１２】リングピロー支持体を示した正面図である。
【００６６】
【図１３】写真立て用の板部材を示した裏面図である。
【００６７】
【図１４】写真立てとしての載置台と板部材の取り付け要領を示した説明図である。
【００６８】
【図１５】写真立てとしての載置台と板部材の取り付け状態を示した裏面斜視図である。
【００６９】
【図１６】写真立てとしての載置台と板部材の取り付け状態を示した側面図である。
【００７０】
【図１７】被服クリアー体の裏面への写真の組み込み状態を示した正面図である。
【００７１】
【図１８】写真立てとしての使用状態を示した正面斜視図である。
【００７２】
【図１９】写真立てとしての使用状態を示した裏面斜視図である。
【００７３】
【図２０】異なる使用状態を示した正面図である。
【符号の説明】
【００７４】
１      装飾部材
１０    内側スペース
２      載置台
２０    表面
２１    裏面
３      支持部材
３０    丸棒
３３    板部材
４      被覆クリアー体
４０    表面
４１    裏面
４２    外周
４３    通孔
５      リングピロー
６      手指
７      写真
８      指輪
Ａ      支持体
Ｂ      写真立て
Ｍ      マグネット
Ｋ      結束部材
【図２】
0003160746.tif 000003
【図５】
0003160746.tif 000004
【図７】
0003160746.tif 000005
【図９】
0003160746.tif 000006
【図１】
0003160746.tif 000007
【図３】
0003160746.tif 000008
【図４】
0003160746.tif 000009
【図６】
0003160746.tif 000010
【図８】
0003160746.tif 000011
【図１０】
0003160746.tif 000012
【図１１】
0003160746.tif 000013
【図１２】
0003160746.tif 000014
【図１３】
0003160746.tif 000015
【図１４】
0003160746.tif 000016
【図１５】
0003160746.tif 000017
【図１６】
0003160746.tif 000018
【図１７】
0003160746.tif 000019
【図１８】
0003160746.tif 000020
【図１９】
0003160746.tif 000021
【図２０】
0003160746.tif 000022
【手続補正書】
【提出日】平成22年5月12日(2010.5.12)
【手続補正１】
【補正対象書類名】明細書
【補正対象項目名】全文
【補正方法】変更
【補正の内容】
【考案の詳細な説明】
【技術分野】
【０００１】
本考案は、写真立て兼用リングピロー支持体に係り、さらに言えば、教会や結婚披露宴、パーティー等において、結婚指輪等の指輪交換時に指輪を保持するリングピローの支持用に使用されるだけでなく、そのような使用後には、記念写真を入れて飾る写真立てとしての兼用ができるリングピロー支持体の技術分野に関する。
【背景技術】
【０００２】
近年、教会で挙げる結婚式等での厳粛な雰囲気の下で、新郎・新婦が指輪の交換を行う際に、新郎と新婦の指輪を保持（仮置き）して使用される小さなクッション状等のリングピローが知られている。
【０００３】
また、ポーチのような小物入れとしても使用できるリングピローも開発されている。例えば、下記文献１に係る実用新案登録第３０４１８９８号公報には、開閉可能な開口部を有する布製の袋状本体の外面および／または周縁部に、リングピローとしての飾り用布片を縫い付け固定するとともに、袋状本体の少なくとも一方の面に、指輪を縛り付けるための少なくとも１対の紐状体を縫い付け固定したことを特徴とする多機能リングピロー（請求項１）が開示されている。
【先行技術文献】
【特許文献】
【０００４】
【特許文献１】実用新案登録第３０４１８９８号公報
【考案の概要】
【考案が解決しようとする課題】
【０００５】
前記文献１の多機能リングピローは、従来のリングピローとしての役目のほかに、リングピローとして使用後はポーチとして使用でき、結婚式場側が式後に指輪ケース等を入れてこれを当事者に進呈するといった便利さがある。しかし、そのようなポーチ類としての利用しかできず、写真立てとして使用することは不可能である。
【０００６】
したがって、本考案が解決しようとする課題は、教会や結婚披露宴、パーティー等において結婚指輪等の指輪交換時に当該指輪を保持するリングピローの支持体としては、装飾性を高めて取り扱い易く使える上、爾後には記念写真を入れて飾る写真立てとしての兼用ができる写真立て兼用リングピロー支持体を提供することにある。
【課題を解決するための手段】
【０００７】
上記課題を解決するための手段として、請求項１記載の考案の写真立て兼用リングピロー支持体は、指輪８を保持して仮置きされるリングピロー５を支持する支持体Ａにおいて、
ａ）指輪８が保持されるリングピロー５を載置自在な平板状の載置台２の裏面２１に、支持部材３が取り付けられていること、
ｂ）前記載置台２の水平状態で、その載置台２の上にリングピロー５が載置されて垂直状態の支持部材３が把持自在であること、
ｃ）前記載置台２の傾斜状態で、その載置台３に写真７が組み入れられ且つ傾斜状態の支持部材３で前記載置台２の傾斜状態を保持して設置自在であることを特徴とする。
【０００８】
請求項２記載の考案の写真立て兼用リングピロー支持体は、大きさや形状の異なる各種の前記支持部材３が、載置台２に対し着脱自在に構成されていることを特徴とする。
【０００９】
請求項３記載の考案の写真立て兼用リングピロー支持体は、前記リングピロー５が載置される際の載置台２に取り付けられる支持部材３が、手指６で把持可能な大きさ・長さの丸棒３０であって当該載置台２に対し直角に取り付けられることを特徴とする。
【００１０】
請求項４記載の考案の写真立て兼用リングピロー支持体は、前記写真立てＢとして設置される際の載置台２に取り付けられる支持部材３が、所定幅寸を有し傾斜する板部材３３であって当該載置台２に対し傾斜して取り付けられることを特徴とする。
【００１１】
請求項５記載の考案の写真立て兼用リングピロー支持体は、前記載置台２の表面２０に、その載置台２に対し着脱自在な透明の被覆クリアー体４が取り付けられており、前記被覆クリアー体４と載置台２の間に写真７が組み込まれて載置台２が写真立てＢとして設置自在に構成されていることを特徴とする。
【００１２】
請求項６記載の考案の写真立て兼用リングピロー支持体は、前記載置台２と被覆クリアー体４にマグネットＭ・・・が設置され、当該被覆クリアー体４が載置台２に対し着脱自在に構成されていることを特徴とする。
【００１３】
請求項７記載の考案の写真立て兼用リングピロー支持体は、前記被覆クリアー体４の外周４２に通孔４３が設けられ、装飾部材１が前記被覆クリアー体４の通孔４３に挿通される結束部材Ｋによって被覆クリアー体４に対し係止自在に構成されていることを特徴とする。
【００１４】
請求項８記載の考案の写真立て兼用リングピロー支持体は、前記装飾部材１が内側にスペース１０を有するリング状に形成され、被覆クリアー体４の表面４０における前記装飾部材１の内側スペース１０にリングピロー５が載置され、又は被覆クリアー体４の裏面４１における写真７が前記装飾部材１の内側スペース１０で臨かれることを特徴とする。
【００１５】
請求項９記載の考案の写真立て兼用リングピロー支持体は、前記装飾部材１が天然石やガラスダイヤ、ビーズ、リボン、チェーンの所望の組合せ若しくは単体で形成されていることを特徴とする。
【００１６】
請求項１０記載の考案の写真立て兼用リングピロー支持体は、前記被覆クリアー体４及び／又は載置台２が円盤状に形成されていることを特徴とする。
【００１７】
請求項１１記載の考案の写真立て兼用リングピロー支持体は、前記載置台２、被覆クリアー体４、支持部材３、装飾部材１又はリングピロー５のいずれか１つ又は複数の部材に、ＬＥＤ等の発光体が付設されていることを特徴とする。
【００１８】
請求項１２記載の考案の写真立て兼用リングピロー支持体は、前記被覆クリアー体４の通孔４３にリボンＲが挿通され、このリボンＲが柱Ｓに引掛け自在に構成されていることを特徴とする。
【考案の効果】
【００１９】
請求項１の本考案の写真立て兼用リングピロー支持体は、指輪が保持されるリングピローを載置自在な平板状の載置台の裏面に、支持部材が取り付けられ、前記載置台の水平状態で、その載置台の上にリングピローが載置されて垂直状態の支持部材が把持自在であり、前記載置台の傾斜状態で、その載置台に写真が組み入れられ且つ傾斜状態の支持部材で前記載置台の傾斜状態を保持して設置自在であるので、厳粛な雰囲気の下での教会や結婚披露宴、パーティー等において、結婚指輪等の指輪交換時に当該指輪を雰囲気を高めつつ保持するリングピローの支持体として使い易く優れている。しかも、爾後には記念写真を入れて飾る写真立てとしての兼用ができて想い出にもなり大変便利である。
【００２０】
請求項２の本考案の写真立て兼用リングピロー支持体は、大きさや形状の異なる各種の支持部材が、載置台に対し着脱自在であるので、シチュエーションや条件、状況に応じて各種場面で一番ふさわしい支持部材の使用ができる自在性がある。
【００２１】
請求項３の本考案の写真立て兼用リングピロー支持体は、リングピローが載置される際の載置台に取り付けられる支持部材は、手指で把持可能な大きさ・長さの丸棒であって当該載置台に対し直角に取り付けられるので、当該支持部材を新郎新婦が一緒に持って使用するのに適している。
【００２２】
請求項４の本考案の写真立て兼用リングピロー支持体は、写真立てとして設置される際の載置台に取り付けられる支持部材は、所定幅寸を有し傾斜する板部材であって当該載置台に対し傾斜して取り付けられるので、写真立て使用時に平坦な場所に置いた際に傾斜状態を保持し、置物として引き立ち、組み込まれた写真を奇麗に際立たせることができる。
【００２３】
請求項５の本考案の写真立て兼用リングピロー支持体は、載置台の表面に、その載置台に対し着脱自在な透明の被覆クリアー体が取り付けられており、前記被覆クリアー体と載置台の間に写真が組み込まれて載置台が写真立てとして設置自在に構成されているので、中に組み込んだ写真が当該透明な被覆クリアー体を通して、外からはっきりと見ることができ、写真立てとしての使用に不便がない。
【００２４】
請求項６の本考案の写真立て兼用リングピロー支持体は、載置台と被覆クリアー体にマグネットが設置され、当該被覆クリアー体が載置台に対し着脱自在に構成されているので、中に入れる写真の組み込みや交換作業をスムーズに行えて使い勝手がよい。
【００２５】
請求項７の本考案の写真立て兼用リングピロー支持体は、被覆クリアー体の外周に通孔が設けられ、装飾部材が前記被覆クリアー体の通孔に挿通される結束部材によって被覆クリアー体に対し係止自在に構成されているので、装飾部材の取り付けや交換作業を楽に行える。
【００２６】
請求項８の本考案の写真立て兼用リングピロー支持体は、装飾部材が内側にスペースを有するリング状に形成され、被覆クリアー体の表面における前記装飾部材の内側スペースにリングピローが載置され、又は被覆クリアー体の裏面における写真が前記装飾部材の内側スペースで臨かれるので、リングピロー支持体としての使用と写真立てとしての使用の両方の使用時において一切支障がない。
【００２７】
請求項９の本考案の写真立て兼用リングピロー支持体は、装飾部材が天然石やガラスダイヤ、ビーズ、リボン、チェーンで形成されているので、当該装飾部材が艶やかに際立つ。
【００２８】
請求項１０の本考案の写真立て兼用リングピロー支持体は、被覆クリアー体や載置台が円盤状に形成されているので、リングピロー支持体と写真立てとしての両使用時において、見た目にも外観が奇麗で周りの雰囲気に調和する。
【００２９】
請求項１１の本考案の写真立て兼用リングピロー支持体は、載置台、被覆クリアー体、支持部材、装飾部材又はリングピローのいずれか１つ又は複数の部材に、ＬＥＤ等の発光体が付設されているので、リングピロー支持体と写真立てとしての両使用時に、荘厳な中にも当該ＬＥＤが輝くことで、印象に残るいい雰囲気をつくることができる。
【００３０】
請求項１２の本考案の写真立て兼用リングピロー支持体のように、被覆クリアー体の通孔を利用して挿通したリボンを柱に引掛ければ、これを見る者へのアピール度が高められる。
【考案を実施するための最良の形態】
【００３１】
本考案に係る写真立て兼用リングピロー支持体の好適な実施形態を、以下図面にしたがって説明する。本実施形態の写真立て兼用リングピロー支持体は、指輪８を保持して仮置きされるリングピロー５を支持する支持体Ａ（図１〜図１２）として使用されると共に、写真を入れて飾る写真立てＢ（図１３〜図１９）としての兼用ができるものである。
【００３２】
まず、リングピロー支持体Ａとして使用する態様につき、図１〜図１２を参照しつつ説明する。
【００３３】
このリングピロー支持体Ａは、図３及び図４に示したように、指輪８が保持されるリングピロー５を載置自在な平板状の載置台２と、同載置台２の裏面２１に着脱自在に取り付けられる支持部材３とを基本構成とする。
【００３４】
載置台２は、アクリル樹脂により直径が約１５ｃｍの円盤状に形成され、その裏面２１の中央部に四角形状のベース板２３が設置されている。ベース板２３の四隅にはネジ穴２４・・・が４ケ所設けられている。
【００３５】
また、この円盤状の載置台２の外周２５に、等間隔（９０度間隔）でマグネットＭ・・・が合計４ケ所設置されている。マグネットＭの設置要領は、載置台２の内部への埋め込み形態が望ましい。しかし、載置台２の表面２０（又は裏面２１）への貼着等であってもよく、手段は問わない（図１０参照）。この載置台２のマグネットＭは、後述する被覆クリアー体４にも設けられたマグネットＭと磁着させるためである。
【００３６】
支持部材３は、前記載置台２のベース板２３と略同形同大のものとして、縦×横＝９×６．５ｃｍの四角形状のベース板３１を介して、載置台２に対し直角配置に取り付けられている（図４参照）。すなわち、ベース板３１の四隅には、前記載置台２のベース板２３のネジ穴２４・・・に対応する位置に、通孔３２・・・が４ケ所穿設されている。当該ベース板３１の中央部に下記丸棒３０等の支持部材３が取り付けられている。
【００３７】
この支持部材３は、手指６で把持し易い大きさ・長さのアクリル樹脂製で、全長が約１０ｃｍ、直径が２．５ｃｍの丸棒３０で形成されている。しかし、大きさや形状（材質）の異なる各種の前記支持部材３が、載置台２に対し着脱自在となっている。例えば、後述の写真立てＢ用の載置台２に取り付けられる支持部材３は、板部材３３の形態で実施される。
【００３８】
かくして、前記支持部材３（丸棒３０）のベース板３１が、載置台２のベース板２３に当接され、位置を同じくしたベース板３１の通孔３２に通したネジ３９をベース板２３のネジ穴２４にて螺着することにより、支持部材３（丸棒３０）が載置台２に対ししっかりと固定される（図４）。
【００３９】
したがって、図１に示したように、垂直状態の支持部材３（丸棒３０）を手指６で把持することで、載置台２の水平状態を保持しつつ、その載置台２の上にリングピロー５を安定性よく載置することができる（図２）。
【００４０】
次に、図５と図６に示した被覆クリアー体４について説明する。被覆クリアー体４は、リングピロー支持体Ａ及び写真立てＢ（後述）として使用する場合に好適な装飾部材１の取り付けに供される。
【００４１】
この被覆クリアー体４は、透明なアクリル樹脂等で形成され、前記載置台２と略同径の円盤状に形成されている。そして、載置台２の場合と同様に、前記載置台２のマグネットＭ・・・に対応する位置として、被覆クリアー体４の外周４２に、等間隔（９０度間隔）でマグネットＭ・・・が４ケ所設置されている。マグネットＭの設置要領は、やはり被覆クリアー体４自体（内部）への埋め込みが好適である。或いは、裏面４１（又は表面４０）への貼着等であってもよく、被覆クリアー体４が載置台２に対し着脱自在となっている。
【００４２】
また、装飾部材１を被覆クリアー体４に取り付ける手段として、この被覆クリアー体４の外周４２に、等間隔で通孔４３が８ケ所設けられている。但し、通孔４３の数はこの限りでなく、その孔の大きさも大きい形態で実施することも行われる。よって、装飾部材１は、この通孔４３に挿通されるワイヤー等の結束部材Ｋを巻き付けることにより、被覆クリアー体４に拘束して係止することができる（図７、図８参照）。デザインの異なる装飾部材１に交換する場合、前記結束部材Ｋをほどいて巻き付けるだけで簡単に行える。
【００４３】
ここで、装飾部材１としては、天然石やガラスダイヤ、ビーズ、リボン、チェーン類で形成するのが望ましい。当該装飾部材１は、その内側にスペース１０を有するリング状に形成され、被覆クリアー体４の表面４０における前記装飾部材１の内側スペース１０にリングピロー５が収まって載置される（図１、図２参照）。また、下記写真立てＢとして使用される場合は、被覆クリアー体４の裏面４１における写真７をこの装飾部材１の内側スペース１０で表示できる（図１８参照）。
【００４４】
なお、この装飾部材１は、詳細な図示を省略した前記天然石やガラスダイヤ等の小さな部材に小孔を設け、その小孔にワイヤーが挿通されて成る１個の最小ベース部材が複数個束ねられたベース装飾体を、リング状に複数配置する実施形態が好適である。
【００４５】
かくして、図９に示したような装飾部材１が取り付けられた被覆クリアー体４の裏面４１を、図１０のように、丸棒３０が取り付けられた支持部材３に近付ければ、被覆クリアー体４と載置台２は、互いのマグネットＭ、Ｍ・・・同士が引き合って容易に磁着される（図１１）。この状態で、図１２のように丸棒３０を垂直に保持し、装飾部材１の内側スペース１０にリングピロー５を載置できる（図１、図２）。
【００４６】
次に、写真立てＢとして使用する実施形態について説明する（図１３〜図１９）。
【００４７】
上述した載置台２は、写真立てＢにおいてもそのまま使用される。支持体Ａの支持部材３として丸棒３０が使用されたが、ここでは、板部材３３が使用される。
【００４８】
板部材３３は、図１３に示したように、前記ベース板３１と同様に、ベース板３４の四隅には前記載置台２のベース板２３のネジ穴２４・・・に対応する位置に通孔３５・・・が４ケ所穿設されている。そして、所定の幅寸を有する長方形状の板部材３３が、前記ベース板３４に対し約４５〜９０度ぐらい傾斜して取り付けられている。
【００４９】
したがって、この写真立てＢとして使用するに当り、予め、前記リングピロー支持体Ａ（図３）のネジ３９・・・を緩めて取り除き、丸棒３０とベース板３１を載置台２から取り外す（図２参照）。そこで、丸棒３０（ベース板３１）の代りに、図１４のように当該板部材３３が取り付けられたベース板３４を、載置台２のベース板２３に当接し、位置を同じくしたベース板３４の通孔３５に通したネジ３９・・・をベース板２３のネジ穴２４・・・にて螺着することにより、板部材３３の支持部材３が載置台２に固定される（図１５）。
【００５０】
当該写真立てＢは、平坦な机や棚の上に置いた場合、側面から見れば、図１６に示したように、載置台２が傾斜した安定状態を保つ。そこで、この載置台２の表面２０、或いは被覆クリアー体４の裏面４１に、写真７を貼付等して設置する（図１７）。そして、被覆クリアー体４には、上記の要領で装飾部材１が取り付けられ（図７〜図９）、その内側はスペース１０として空いているので、記念となる写真７が装飾部材１に囲まれる形で現れてよい（図１８）。
【００５１】
かくして、被覆クリアー体４と載置台２の間に写真７が組み込まれた載置台２は、傾斜状態を保持しつつ、装飾部材１が付加されて華やかで奇麗な写真立てＢとして設置される（図１９）。
【００５２】
さらに図２０は、異なる実施形態を示している。すなわち、支持部材３（板部材３３）を取り外して前記の写真立てＢを使用するか、或いは写真７の代わりにメッセージカード７´を貼付した態様で、被覆クリアー体４の通孔４３に大きなリボンＲを通しこのリボンＲを柱Ｓに引掛けて、これを見る者へメッセージを発する手段として利用することもできる。
【００５３】
なお、図示を省略するが、上述した載置台２や被覆クリアー体４、支持部材３、装飾部材１又はリングピロー５のいずれか１つ、或いはそれらの中から組み合せた所望の部材に、ＬＥＤ等の発光体を付設する実施形態も採用可能である。リングピロー支持体Ａとしての使用時や写真立てＢとしての使用時に、当該ＬＥＤが輝いて印象深く温かい雰囲気を醸し出すことができる。
【図面の簡単な説明】
【００５４】
【図１】リングピロー支持体の使用状態を示した正面図である。
【００５５】
【図２】リングピロー支持体を示した斜視図である。
【００５６】
【図３】リングピロー支持体の載置台と丸棒の取り付け要領を示した説明図である。
【００５７】
【図４】リングピロー支持体の載置台と丸棒の取り付け状態を示した裏面斜視図である。
【００５８】
【図５】被覆クリアー体を示した全体図である。
【００５９】
【図６】被覆クリアー体を示した部分斜視図である。
【００６０】
【図７】被覆クリアー体への装飾部材の取り付け状態を示した斜視図である。
【００６１】
【図８】被覆クリアー体への装飾部材の取り付け要領を示した全体斜視図である。
【００６２】
【図９】被覆クリアー体への装飾部材の取り付け状態を示した裏面図である。
【００６３】
【図１０】リングピロー支持体の載置台と被覆クリアー体の取り付け要領を示した説明図である。
【００６４】
【図１１】リングピロー支持体の使用状態を示した裏面斜視図である。
【００６５】
【図１２】リングピロー支持体を示した正面図である。
【００６６】
【図１３】写真立て用の板部材を示した裏面図である。
【００６７】
【図１４】写真立てとしての載置台と板部材の取り付け要領を示した説明図である。
【００６８】
【図１５】写真立てとしての載置台と板部材の取り付け状態を示した裏面斜視図である。
【００６９】
【図１６】写真立てとしての載置台と板部材の取り付け状態を示した側面図である。
【００７０】
【図１７】被服クリアー体の裏面への写真の組み込み状態を示した正面図である。
【００７１】
【図１８】写真立てとしての使用状態を示した正面斜視図である。
【００７２】
【図１９】写真立てとしての使用状態を示した裏面斜視図である。
【００７３】
【図２０】異なる使用状態を示した正面図である。
【符号の説明】
【００７４】
１      装飾部材
１０    内側スペース
２      載置台
２０    表面
２１    裏面
３      支持部材
３０    丸棒
３３    板部材
４      被覆クリアー体
４０    表面
４１    裏面
４２    外周
４３    通孔
５      リングピロー
６      手指
７      写真
８      指輪
Ａ      支持体
Ｂ      写真立て
Ｍ      マグネット
Ｋ      結束部材
【手続補正２】
【補正対象書類名】実用新案登録請求の範囲
【補正対象項目名】全文
【補正方法】変更
【補正の内容】
【実用新案登録請求の範囲】
【請求項１】
指輪を保持して仮置きされるリングピローを支持する支持体において、
ａ）指輪が保持されるリングピローを載置自在な平板状の載置台の裏面に、支持部材が取り付けられていること、
ｂ）前記載置台の水平状態で、その載置台の上にリングピローが載置されて垂直状態の支持部材が把持自在であること、
ｃ）前記載置台の傾斜状態で、その載置台に写真が組み入れられ且つ傾斜状態の支持部材で前記載置台の傾斜状態を保持して設置自在であること、
を特徴とする写真立て兼用リングピロー支持体。
【請求項２】
大きさや形状の異なる各種の支持部材が、載置台に対し着脱自在に構成されていることを特徴とする、請求項１に記載した写真立て兼用リングピロー支持体。
【請求項３】
リングピローが載置される際の載置台に取り付けられる支持部材は、手指で把持可能な大きさ・長さの丸棒であって当該載置台に対し直角に取り付けられることを特徴とする、請求項１又は２に記載した写真立て兼用リングピロー支持体。
【請求項４】
写真立てとして設置される際の載置台に取り付けられる支持部材は、所定幅寸を有し傾斜する板部材であって当該載置台に対し傾斜して取り付けられることを特徴とする、請求項１又は２に記載した写真立て兼用リングピロー支持体。
【請求項５】
載置台の表面には、その載置台に対し着脱自在な透明の被覆クリアー体が取り付けられており、前記被覆クリアー体と載置台の間に写真が組み込まれて載置台が写真立てとして設置自在に構成されていることを特徴とする、請求項１〜４のいずれか１項に記載した写真立て兼用リングピロー支持体。
【請求項６】
載置台と被覆クリアー体にマグネットが設置され、当該被覆クリアー体が載置台に対し着脱自在に構成されていることを特徴とする、請求項５に記載した写真立て兼用リングピロー支持体。
【請求項７】
被覆クリアー体の外周に通孔が設けられ、装飾部材が前記被覆クリアー体の通孔に挿通される結束部材によって被覆クリアー体に対し係止自在に構成されていることを特徴とする、請求項５又は６に記載した写真立て兼用リングピロー支持体。
【請求項８】
装飾部材が内側にスペースを有するリング状に形成され、被覆クリアー体の表面における前記装飾部材の内側スペースにリングピローが載置され、又は被覆クリアー体の裏面における写真が前記装飾部材の内側スペースで臨かれることを特徴とする、請求項５〜７のいずれか１項に記載した写真立て兼用リングピロー支持体。
【請求項９】
装飾部材が天然石やガラスダイヤ、ビーズ、リボン、チェーンの所望の組合せ若しくは単体で形成されていることを特徴とする、請求項７又は８に記載した写真立て兼用リングピロー支持体。
【請求項１０】
被覆クリアー体及び／又は載置台が円盤状に形成されていることを特徴とする、請求項１〜８のいずれか１項に記載した写真立て兼用リングピロー支持体。
【請求項１１】
載置台、被覆クリアー体、支持部材、装飾部材又はリングピローのいずれか１つ又は複数の部材に、ＬＥＤ等の発光体が付設されていることを特徴とする、請求項１〜１０のいずれか１項に記載した写真立て兼用リングピロー支持体。
【請求項１２】
被覆クリアー体の通孔にリボンが挿通され、このリボンが柱に引掛け自在に構成されていることを特徴とする、請求項５又は６又は７又は８又は１０又は１１に記載した写真立て兼用リングピロー支持体。
【手続補正３】
【補正対象書類名】図面
【補正対象項目名】図１７
【補正方法】変更
【補正の内容】
【図１７】
0003160746.tif 000023
【手続補正４】
【補正対象書類名】図面
【補正対象項目名】図１８
【補正方法】変更
【補正の内容】
【図１８】
0003160746.tif 000024